(57)【特許請求の範囲】
【請求項１】
固体高分子電解質膜と、前記固体高分子電解質膜の上面に設けられたアノードと、前記アノードの上面であって前記アノードに通電するアノード集電体と、前記固体高分子電解質膜の下面に設けられたカソードと、前記カソードの下面であって前記カソードに通電するカソード集電体とを有した減酸素ユニットが横方向に配され、
前記減酸素ユニットに給水を行う給水タンクが、前記アノード集電体の上方に配され、  
水制限膜が、前記アノード集電体と前記給水タンクとの間に配され、
前記給水タンクの上面が、前記水制限膜の位置から離れるほど上になるように傾斜して設けられ、
前記水制限膜の位置にある前記上面より、高い位置にある前記上面に酸素排出口が設けられている、
減酸素装置。
【請求項２】
前記減酸素ユニットは、上部材と下部材とを有し、
前記上部材と前記下部材の間に、上から順番に前記アノード、前記アノード集電体、前記固体高分子電解質膜、前記カソード、前記カソード集電体が配され、
前記上部材に開口部が開口し、
前記開口部に前記水制限膜が設けられ、
前記上部材の上に前記給水タンクが設けられている、
請求項１に記載の減酸素装置。
【請求項３】
前記減酸素装置が、減酸素室の上方に配された、
請求項１に記載の減酸素装置。
【請求項４】
請求項１に記載の前記減酸素装置が減酸素室に配された、
冷蔵庫。
【請求項５】
前記減酸素室が野菜室に配された、
請求項４に記載の冷蔵庫。
【発明の詳細な説明】
【技術分野】
【０００１】
本発明の実施形態は、減酸素装置、及び、それを用いた冷蔵庫に関するものである。
【背景技術】
【０００２】
従来より、ＣＡ（Controled Atmosphere）貯蔵方法には、固体高分子電解質膜を用いて減酸素室の酸素を減少させる固体高分子電解質方法がある。
【０００３】
この固体高分子電解質膜方法を用いた減酸素装置は、アノードで水を電気分解して水素イオンを作り、その水素イオンが固体高分子電解質膜内を移動してカソードに到達し、減酸素室内の酸素と反応して水を生成することで、酸素を減少させる。
【先行技術文献】
【特許文献】
【０００４】
【特許文献１】特開２００４−２１８９２４号公報
【特許文献２】特開２０１３−１６０４８６号公報
【特許文献３】特開２００４−２９３８２７号公報
【発明の概要】
【発明が解決しようとする課題】
【０００５】
上記のような減酸素装置において、アノードに水を供給する必要があるが、このアノードに必要量の水を供給することが非常に難しいという問題点があった。
【０００６】
そこで、本発明の実施形態は上記問題点に鑑み、固体高分子電解質膜方法を用いた減酸素装置においてアノードに水を確実に供給できる減酸素装置、及びそれを用いた冷蔵庫を提供することを目的とする。
【課題を解決するための手段】
【０００７】
本発明の実施形態は、固体高分子電解質膜と、前記固体高分子電解質膜の上面に設けられたアノードと、前記アノードの上面であって前記アノードに通電するアノード集電体と、前記固体高分子電解質膜の下面に設けられたカソードと、前記カソードの下面であって前記カソードに通電するカソード集電体とを有した減酸素ユニットが横方向に配され、前記減酸素ユニットに給水を行う給水タンクが、前記アノード集電体の上方に配され、水制限膜が、前記アノード集電体と前記給水タンクとの間に配され、前記給水タンクの上面が、  前記水制限膜の位置にある前記上面より、高い位置にある前記上面に酸素排出口が設けられている、酸素装置である。
【図面の簡単な説明】
【０００８】
【図１】本実施形態の冷蔵庫の横から見た縦断面図。
【図２】冷蔵庫の扉を外した状態の正面図。
【図３】減酸素室の平面図。
【図４】減酸素室の側面図。
【図５】減酸素室の正面図。
【図６】減酸素装置の分解斜視図。
【図７】減酸素装置の一部拡大縦断面図。
【図８】減酸素装置の横から見た縦断面図。
【図９】減酸素装置の上から見た横断面図。
【図１０】減酸素装置の後から見た縦断面図。
【図１１】減酸素装置の一部切欠き斜視図。
【発明を実施するための形態】
【０００９】
以下、一実施形態の減酸素装置２００について図１〜図１１に基づいて説明する。本実施形態の減酸素装置２００は、冷蔵庫１０内にある減酸素室１００に設けられている。
【００１０】
（１）冷蔵庫１０の構造
冷蔵庫１０の構造について図１と図２に基づいて説明する。図１は冷蔵庫１０の全体の側面から見た縦断面図であり、図２は冷蔵庫１０のキャビネット１２の正面図である。
【００１１】
冷蔵庫１０のキャビネット１２は断熱箱体であって、内箱と外箱とより形成され、その間に断熱材が充填されている。このキャビネット１２内部は、上から順番に冷蔵室１４、野菜室１６、小型冷凍室１８及び冷凍室２０を有し、小型冷凍室１８の横には製氷室２１が設けられている。野菜室１６と小型冷凍室１８及び製氷室２１の間には断熱仕切体３６が設けられている。冷蔵室１４と野菜室１６とは水平な仕切体３８によって仕切られている。冷蔵室１４の前面には、観音開き式の扉１４ａが設けられ、野菜室１６、小型冷凍室１８、冷凍室２０及び製氷室２１にはそれぞれ引出し式の扉１６ａ，１８ａ，２０ａが設けられている。
【００１２】
キャビネット１２の背面底部には、機械室２２が設けられ、冷凍サイクルを構成する圧縮機２４などが載置されている。この機械室２２背面上部には、制御板２６が設けられている。
【００１３】
冷蔵室１４の背面下部から野菜室１６の背面において、冷蔵用蒸発器（以下、「Ｒエバ」という）２８が設けられ、その下方には冷蔵用送風機（以下、「Ｒファン」という）３０が設けられている。Ｒエバ２８とＲファン３０とは、エバカバー１５で形成されたＲエバ室１７に配されている。Ｒエバ２８には、Ｒエバ２８で発生した除霜水を溜める受け皿５４が設けられている。
【００１４】
小型冷凍室１８の背面から冷凍室２０の背面にかけてのＦエバ室２９には冷凍用蒸発器（以下、「Ｆエバ」という）３２が設けられ、その上方には冷凍用送風機（以下、「Ｆファン」という）３４が設けられている。Ｒエバ２８で冷却された冷気は、Ｒファン３０によって冷蔵室１４及び野菜室１６に送風される。Ｆエバ３２で冷却された冷気は、Ｆファン３４によって小型冷凍室１８、製氷室２１、冷凍室２０に送風される。
【００１５】
冷蔵室１４の背面には、冷蔵室１４の庫内温度を検出する冷蔵室用センサ（以下、「Ｒセンサ」という）３１が設けられ、冷凍室２０の背面には、冷凍室２０の庫内温度を検出する冷凍用センサ（以下、「Ｆセンサ」という）３５が設けられている。
【００１６】
図１に示すように、冷蔵室１４には、複数の棚４０が設けられ、下部には引出し式のチルド容器４２を有するチルド室４４が設けられている。このチルド室４４は低温室であって、肉や魚を収納する。冷蔵室１４の扉１４ａの背面には複数のドアポケット４６が設けられている。野菜室１６には、引出し式の野菜容器４８が設けられている。
【００１７】
図１と図２に示すように、野菜室１６の天井部に当たる仕切体３８には、減酸素室１００が吊り下げられ、仕切体３８の下方であって、かつ、減酸素室１００の上部には横方向（水平方向）に減酸素装置２００が設けられている。この減酸素室１００、減酸素装置２００については、後から詳しく説明する。
【００１８】
制御板２６に設けられたマイクロコンピュータよりなる制御部には、Ｒファン３０、Ｆファン３４、圧縮機２４，Ｒセンサ３１、Ｆセンサ３５、減酸素装置２００が接続されている。
【００１９】
（２）減酸素室１００
減酸素室１００について、図１〜図５に基づいて説明する。図４に示すように、野菜室１６の天井面を構成する水平な仕切体３８の左側後部に複数本の吊り下げ部材１０６によって支持部材１０８が吊り下げられ、これら支持部材１０８に減酸素室１００が固定されている。
【００２０】
支持部材１０８は、上板１１０と、上板１１０の両側部から下方に突出した側板１１２，１１２と、上板１１０の後部から下方に突出した後板１１４とより構成されている。両側板１１２，１１２の両側部の内側にはレール１１６，１１６が水平に設けられている。
【００２１】
減酸素室１００は、前面が開口した直方体であり、上面板１１８、両側面板１２０，１２０、下面板１２２、後面板１２４を有する。図４に示すように、両側面板１２０，１２０の外方には、突部１２６が突出し、減酸素室１００を支持部材１０８に取り付ける場合に、突部１２６をレール１１６に沿って移動し固定する。両側面板の前端には、上下一対の腕部１２８，１２８を有する固定部材１３０が設けられている。
【００２２】
減酸素室１００には、図４に示すように前面の開口部から収納される減酸素容器１０２が引き出し自在に配されている。減酸素容器１０２は、その前部に扉１０４を有し、扉１０４の中央部から後方に爪部１３２が突出している。この爪部１３２は、扉１０４を閉じた状態で、固定部材１３０の上下一対の腕部１２８，１２８と係合する。また、扉１０４の後端部外周部に沿ってパッキング１３４が設けられている。パッキング１３４は、扉１０４を閉めた状態で、減酸素室１００内部を密閉する。減酸素室１００の上面板１１８の前部には開口部１３６が設けられ、その上方には減酸素装置２００が取り付けられる。
【００２３】
（３）減酸素装置２００
減酸素装置２００について、図６〜図１１に基づいて説明する。減酸素装置２００は、横方向（水平方向）に配された減酸素セル２０４を含む減酸素ユニット２０２を有する。なお、各部材の厚みは薄いものであるが、図６と図７において説明を判り易くするために、その厚みは拡大して記載している。
【００２４】
減酸素セル２０４を有する減酸素ユニット２０２について、図６と図７に基づいて説明する。
【００２５】
まず、シート状の減酸素セル２０４は、図７に示すように固体高分子電解質膜（以下、単に「電解質膜」という）２０６と、電解質膜２０６の上面に設けられたアノード２０８と、電解質膜２０６の下面に設けられたカソード２１０とを有する。カソード２１０は、カーボン触媒とカーボンペーパーを積層したものであり、アノード２０８とカソード２１０には白金の触媒がそれぞれ担持されている。電解質膜２０６、アノード２０８及びカソード２１０がホットプレスなどを用いて一体に接合され、シート状の減酸素セル２０４が形成されている。
【００２６】
アノード２０８の上には、額縁状のバッキングシート２２１を介してアノード集電体２１２が配置されている。アノード集電体２１２は、シート状であって、アノード電極２１３と気体が通過するためのスリット状の開口部２１６を有している。
【００２７】
アノード集電体２１２の上には、水制限膜２２４が配置されている。水制限膜２２４は、フィルム状であって、水蒸気量を予め定めた所定の水蒸気量に制限してアノード２０８に送る。
【００２８】
水制限膜２２４の上には、額縁状のバッキングシート２２２が配置されている。
【００２９】
カソード２１０の下には、カソード集電体２１４が設けられている。カソード集電体２１４は、シート状であって、カソード電極２１５と気体が通過するためのスリット状の開口部２１６を有している。なお、額縁状の絶縁体２２０が、カソード２１０とカソード集電体２１４の間に配置され、両集電体２１２，２１４が接触しないようにしている。
【００３０】
次に、シート状の減酸素セル２０４の形状について説明する。減酸素セル２０４を減酸素装置２００に組み込む場合に、アノード２０８側の面（以下、「アノード面」という）とカソード２１０側の面（以下、「カソード面」という）とを間違って取り付けると、減酸素装置２００は動作しない。そのため、本実施形態ではシート状の減酸素セル２０４は、図６に示すように、長方形の一つの角部を斜めに切り取った六角形の裏表反転非対称形状に形成されている。本明細書において「裏表反転非対称形状」とは、減酸素セル２０４のカソード面とアノード面とを反転させても同一形状でなく、取り付ける作業者がアノード面とカソード面とを簡単に見分けることができる形状を言う。アノード集電体２１２は、減酸素セル２０４と同一形状、同一の大きさであり、アノード電極２１３が突出している。カソード集電体２１４は、減酸素セル２０４と同一形状、同一の大きさであり、カソード電極２１５が突出している。額縁状の絶縁体２２０、額縁状のパッキングシート２２１、額縁状のパッキングシート２２２、水制限膜２２４は、減酸素セル２０４と同一の形状、同一の大きさに形成されている。
【００３１】
図６と図７に示すように、カソード集電体２１４、絶縁体２２０、減酸素セル２０４、パッキングシート２２１、アノード集電体２１２、水制限膜２２４、パッキングシート２２２を順番に積み重ねたものを「減酸素ユニット２０２」という。そして、制御部は、アノード集電体２１２によってアノード２０８にプラス通電を行い、カソード集電体２１４によってカソード２１０にマイナス通電を行う。
【００３２】
減酸素ユニット２０２は、透明な長方形状の板材である下部材２２６の上に横方向（水平方向）に載置され、その上に長方形状の板材である上部材２２６が被さっている。
【００３３】
横方向（水平方向）に配された下部材２２６の中央部分には、図６に示すように減酸素ユニット２０２よりも若干大きいサイズの位置決めリブ２３０が突出し、この位置決めリブ２３０の中に、上下方向に貫通した開口部２３２がスリット状に設けられている。このスリット状の開口部２３２は、カソード集電体２１４のスリット状の開口部２１８に対応した位置に設けられている。また、位置決めリブ２３０の周囲には、上部材２２６をネジ止めするためのネジ孔２３４が設けられている。このネジ孔２３４の外周には、下部材２２６を減酸素室１００の上面板１１８にネジ止めするためのネジ孔２３６が設けられている。下部材２２８の上面であって、上部材２２６の４つの角部に相当する位置には、位置決め突片２６６が突出している。
【００３４】
横方向（水平方向）に配された上部材２２６の下面中央部分には、図７に示すように減酸素ユニット２０２を収納した位置決めリブ２３０よりも大きいサイズで、かつ、同じ形状の収納凹部２３８が設けられている。この収納凹部２３８の内部には、アノード集電体２１２のスリット状の開口部２１６に対応したスリット状の開口部２４０が設けられている。また、図６に示すように収納凹部２３８の外周部には、下部材２２６に取り付ける場合のネジ孔２４２が貫通している。
【００３５】
上部材２２６の上部には、図１１に示すように透明な給水タンク２４４が一体に形成されている。この給水タンク２４４の平面形状は、図９に示すように上部材２２６よりも一回り小さく、上部材２２６の上方に水が溜まるように設けられ、給水タンク２４４の下面が、上部材２２６の上面と兼ねており、給水タンク２４４の下面には、上記したスリット状の開口部２４０が開口している。給水タンク２４４の上面２４６は、前部ほど下方に傾斜している。
【００３６】
給水タンク２４４の後面右側から給水路２４８が、図９に示すように後方に突出している。この給水路２４８の上面は給水タンク２４４の上面２４６に沿って傾斜している。給水路２４８の右側面後端部には、図１０に示すように給水管２５０が接続される。給水路２４８の後端部上面のみ開口し、酸素排出口２５２を形成している。給水管２５０は、Ｒエバ２８からの除霜水を溜める受け皿５４から水が供給され、この供給のために不図示のポンプが設けられている。
【００３７】
給水タンク２４４の後面左側から排水路２５４が、図９に示すように後方に突出している。この排水路２５４の上面は、図８に示すように給水タンク２４４の上面２４６に沿って傾斜している。排水路２５４の左側後端部には、図１０に示すように排水空間２５６が設けられ、この排水空間２５６の底面から排水管２５８が突出している。排水空間２５６と排水路２５４とは、縦板状の堰２６０によって仕切られ、この堰２６０は排水路２５４の他の面よりも低い。排水空間２５６の上面と排水路２５４の後端部上面は開口し、酸素排出口２６２が形成されている。排水管２５８は、受け皿５４に接続され、減酸素装置２００から排水された水は排水管２５８を通って受け皿５４に排水される。
【００３８】
ＬＥＤよりなる照明装置１３８が、図３と図５に示すように、減酸素室１００の上面板１１８であって、かつ、減酸素装置２００の側方に設けられている。この照明装置１３８は酸素装置２００を照明する。
【００３９】
のぞき窓５６が、図８と図１０に示すように減酸素装置２００に対応する仕切り板３８に開口している。こののぞき窓５６は、照明装置１３８で照明された減酸素装置２００の動作状態を確認できる。
【００４０】
減酸素装置２００を組み立てる場合には、図６に示すように下部材２２６の位置決めリブ２３０に減酸素ユニット２０２を載置し、その上から給水タンク２４４を有する上部材２２６を被せて、ネジ２６４でネジ止めする。そして、この減酸素装置２００を、図３と図４に示すように、減酸素室１００の上面板１１８の開口部１３６に対応した位置に横方向（水平方向）にネジ止めする。
【００４１】
（４）減酸素装置２００の動作状態
次に減酸素装置２００の動作状態について説明する。上記したように給水管２５０から水が供給され、給水路２４８を通って給水タンク２４４に水が満たされる。給水タンク２４４に水が満たされていくと、図８と図１０に示すように排水路２５４においても同様に水位が高くなり、水位が堰２６０を超えた場合には、堰２６０から水が溢れて排水空間２５６に流れ、排水管２５８により排水される。すなわち、この堰２６０は、給水タンク２４４が満杯になり、図１０に示すように給水タンク２４４が満杯になって酸素排出口２５２，２６２から溢れ出るのを防止している。
【００４２】
給水タンク２４４に貯まった水は、図７に示すように上部材２２６のスリット状の開口部２４０を経て水制限膜２２４に供給される。水制限膜２２４において、必要な量のみ透過され、アノード集電体２１２のスリット状の開口部２１６を経てアノード２０８に水が至る。この場合に水は自重によってアノード２０８に必ず至るため、従来の縦方向に減酸素ユニット２０２を置いた場合とは違い、確実に水がアノード２０８に供給される。
【００４３】
減酸素室１００に食品を収納すると、制御板２６の制御部が、両集電体２１２，２１４に通電を開始する。両集電体２１２，２１４が通電されると、アノード２０８とカソード２１０では次の式（１）と式（２）のような減酸素反応が行なわれる。
アノード・・・２Ｈ2Ｏ→Ｏ2＋４Ｈ+＋４ｅ-  ・・・（１）
カソード・・・Ｏ2＋４Ｈ+＋４ｅ-→２Ｈ2Ｏ  ・・・（２）
この式（１）と式（２）の減酸素反応を説明すると、給水タンク２４４からの水が自重によって、上部材２２６のスリット状の開口部２３２を通り水制限膜２２４を経てアノード２０８に至る。この水はアノード２０８で電気分解され水素イオン（プロトンＨ+）が作られ（式（１）参照）、その水素イオンが電解質膜１１６内を移動してカソード２１０に到達し、減酸素室１００から流入した空気に含まれる酸素と反応して水を生成し、酸素を消費する（式（２）参照）。これにより減酸素室１００内の減酸素が行われ、食品をＣＡ貯蔵できる。
【００４４】
アノード２０８で発生した酸素は、上部材２２６の開口部２４０を経て給水タンク２４４に浮上する。給水タンク２４４の中には水が溜まっているため、酸素は気泡となる。この酸素の気泡は、給水タンク２４４から排出する必要がある。図８に示すように、給水タンク２４４の上面２４６は前方ほど下方に傾斜し、酸素の気泡は軽いため給水タンク２４４の上面２４６に沿って後方に移動し給水路２４８、排水路２５４の後部に移動する。この酸素の気泡は、給水路２４８の後端部と排水路２５４の後端部にくると、浮かび上がり酸素排出口２５２，２６２から排出される。これにより給水タンク２４４に発生した酸素が溜まることがない。この酸素の気泡の移動状態は、給水タンク２４４が透明であるため、ユーザは、図９に示すように、仕切り体３８ののぞき窓５６を通して見ることができる。
【００４５】
（５）効果
本実施形態によれば、減酸素ユニット２０２が横方向に配され、その上に給水タンク２４４が設けられているため、水の自重により減酸素ユニット２０２にスムーズに水を供給できる。また、減酸素ユニット２０２で生成された水は、下方に抜け易く反応が促進される。
【００４６】
また、減酸素ユニット２０２で発生した酸素の気泡は、透明な給水タンク２４４の上面２４６を通して、のぞき窓５６からユーザが見ることができるため、図９に示すように、ユーザが減酸素装置２００が動作している状態を目で確認できる。特に、照明装置１３８で給水タンク２４４内部を照明しているため、酸素の気泡をより確認し易い。また、減酸素装置２００の製造工程において、減酸素装置２００を組み立てた状態で酸素の発生検査を行うことができる。
【００４７】
また、給水タンク２４４の上面２４６が傾斜しているため、図８に示すように、発生した酸素の気泡を傾斜に沿って上方へ逃がし易く、給水タンク２４４の内部が見え易くなる。また、内部が曇って見え難くするのを防止できる。
【００４８】
また、給水路２４８と排水路２５８の後端部に酸素排出口２５２，２６２が設けられているため、発生した酸素を確実に逃がすことができ、さらに、酸素排出口２５２，２６２から減酸素ユニット２０２で発生した熱が逃げるので、給水タンク２４４内部が曇りにくい。
【００４９】
また、排水路２５８と排水空間２５６の間に堰２６０を設けているため、酸素排出口２６２からあふれようとする水を排水でき、さらに、必要量の水は給水タンク２４４内部に確保できる。
【００５０】
また、仕切り体３８と減酸素室１００との隙間は、従来はデッドスペースであったが、この隙間に横向きの減酸素装置２００を取り付けることにより、野菜室１６内部のスペースを有効利用できる。
【００５１】
（６）変更例
上記実施形態において、給水タンク２４４の内周面に浸水処理を施してもよい。この浸水処理を施すことにより給水タンク２４４の内側をより曇りにくくできる。
【００５２】
また、上記実施形態では照明装置１３８を設けたが、この照明装置１３８を設けることなく、冷蔵室１２内部の照明で給水タンク２４４内部を目で確認できるようにしてもよい。
【００５３】
また、上記実施形態では、給水タンク２４４への給水は、Ｒエバ２８からの除霜水を供給したが、これに代えて製氷装置に水を供給するためのタンクから水を供給してもよい。また、排水する水は、機械室２２にある蒸発皿に直接排水してもよい。
【００５４】
また、上記実施形態では、給水タンク２４４内部に水を溜めて減酸素セル２０２に供給したが、これに代えて減酸素セル２０２の上部に吸水剤を設けて、空気中の水分を吸水して放出してもよい。例えば、粉体又は流体のＡ型のシリカゲルからなる吸水剤を用い、空気中の水分から水を吸収するものであり、この場合にはイオンコンタミン成分のない純水を給水できる。また、吸水剤はゼオライトなどでもよい。
【００５５】
また、上記実施形態では、減酸素室１００の上面に減酸素装置２００を直接取り付けたが、これに代えて減酸素室１００の上面と減酸素装置２００との間をダクトでつなぎ減酸素装置２００を他の位置に取り付けてもよい。この場合であっても減酸素装置２００の減酸素ユニット２０２は横方向（水平方向）に取り付ける。
【００５６】
また、上記実施形態では、減酸素室１００を野菜室に設けたが、これに限らず冷蔵室１４の下部にあるチルド室４４に設けてもよい。
【００５７】
また、上記実施形態では、減酸素室１００の前面開口部から減酸素容器１０２を引き出し可能にしたが、これに代えて減酸素室１００の上面が開口して食品を取り出す構造でもよい。
【００５８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５９】
１０・・・冷蔵庫、１００・・・減酸素室、１０２・・・減酸素容器、２００・・・減酸素装置、２０２・・・減酸素ユニット、２０４・・・減酸素セル、２１２・・・アノード集電体、２１４・・・カソード集電体、２２４・・・水制限膜、２２６・・・下部材、２２８・・・上部材、２４４・・・給水タンク
【図１】
0006498876.tif 000002
【図２】
0006498876.tif 000003
【図３】
0006498876.tif 000004
【図４】
0006498876.tif 000005
【図５】
0006498876.tif 000006
【図６】
0006498876.tif 000007
【図７】
0006498876.tif 000008
【図８】
0006498876.tif 000009
【図９】
0006498876.tif 000010
【図１０】
0006498876.tif 000011
【図１１】
0006498876.tif 000012